(57)【要約】【課題】高い遮音性能を発揮しながら充分な通風効果を得られる通風遮音開口部構造を提供する。【解決手段】開閉可能な室内側、屋外側の両基本開口部１，２が互いに所定の間隔をおいて向き合うように備えられ、これら基本開口部１，２間の空間部３の左右両側に延長空間部４，５が設けられ、一方の延長空間部４と屋外とを連通する屋外側通風用開口部１１が設けられると共に、もう一方の延長空間部５と室内とを連通する室内側通風用開口部１２が設けられ、両基本開口部１，２が閉じられた状態で、屋外側通風用開口部１１、中間空間部６及び室内側通風用開口部１２を通風経路とし、中間空間部６を消音チャンバーとする通風遮音構造が形成され、両延長空間部４，５に吸音材１４，１４が設けられている。【選択図】      図１
2008144461.tif 000002
【特許請求の範囲】
【請求項１】
開閉可能な室内側基本開口部と開閉可能な屋外側基本開口部とが前後方向に所定の間隔をおいて向き合うように備えられ、これら基本開口部間の空間部の左右両側又は上下両側に延長空間部が設けられて、基本開口部間の空間部と延長空間部とで中間空間部が形成され、
該中間空間部の一方の延長空間部と屋外とを連通する屋外側通風用開口部が設けられると共に、もう一方の延長空間部と室内とを連通する室内側通風用開口部が設けられ、室内側基本開口部と屋外側基本開口部が閉じられた状態で、屋外側通風用開口部、中間空間部及び室内側通風用開口部を通風経路とし、中間空間部を消音チャンバーとする通風遮音構造が形成されるようになされていることを特徴とする通風遮音開口部構造。
【請求項２】
両延長空間部のうち、少なくとも、屋外側通風用開口部が設けられた側の延長空間部に、通風を妨げない態様で吸音材が設けられている請求項１に記載の通風遮音開口部構造。
【請求項３】
屋外側通風用開口部が設けられた側の延長空間部と室内側通風用開口部が設けられた側の延長空間部との両方に、通風を妨げない態様で吸音材が設けられている請求項１に記載の通風遮音開口部構造。
【請求項４】
屋外側通風用開口部が設けられた側の延長空間部と基本開口部間の空間部との間、
室内側通風用開口部が設けられた側の延長空間部と基本開口部間の空間部との間、
室内側通風用開口部、及び
屋外側通風用開口部
のうちのいずれか一つ以上、又は、全部に、開閉材が備えられている請求項１乃至３のいずれか一に記載の通風遮音開口部構造。
【発明の詳細な説明】
【技術分野】
【０００１】
本発明は、通風遮音開口部構造に関する。
【背景技術】
【０００２】
高断熱・高気密の住宅等の建物において、窓などの開口部を開放することにより、通風で涼を得ることは、健康や省エネ的な見地から行われるところであるが、窓を開放しておくと屋外の音が室内に侵入し、昼間はともかく、夜間は睡眠に支障を生じることがある。
【特許文献１】特開２００６−３７６７７号公報
【発明の開示】
【発明が解決しようとする課題】
【０００３】
本発明は、上記のような問題点に鑑み、高い遮音性能を発揮しながら充分な通風効果を得ることができる通風遮音開口部構造を提供することを課題とする。
【課題を解決するための手段】
【０００４】
上記の課題は、開閉可能な室内側基本開口部と開閉可能な屋外側基本開口部とが前後方向に所定の間隔をおいて向き合うように備えられ、これら基本開口部間の空間部の左右両側又は上下両側に延長空間部が設けられて、基本開口部間の空間部と延長空間部とで中間空間部が形成され、
該中間空間部の一方の延長空間部と屋外とを連通する屋外側通風用開口部が設けられると共に、もう一方の延長空間部と室内とを連通する室内側通風用開口部が設けられ、室内側基本開口部と屋外側基本開口部が閉じられた状態で、屋外側通風用開口部、中間空間部及び室内側通風用開口部を通風経路とし、中間空間部を消音チャンバーとする通風遮音構造が形成されるようになされていることを特徴とする通風遮音開口部構造によって解決される（第１発明）。
【０００５】
この構造では、室内側基本開口部と屋外側基本開口部とを閉じた状態にしても、屋外側通風用開口部、中間空間部及び室内側通風用開口部を通風経路として通風がなされると共に、中間空間部が消音チャンバーとして機能するので、室内への屋外音の侵入が遮断され、夏季、中間期等において、静かで快適な夜を過ごすことができる。
【０００６】
しかも、室内側基本開口部と屋外側基本開口部とは向き合うように備えられているので、これらの開口部を通常の開口部として使用することができる。
【０００７】
第１発明において、両延長空間部のうち、少なくとも、屋外側通風用開口部が設けられた側の延長空間部に、通風を妨げない態様で吸音材が設けられているとよい（第２発明）。
【０００８】
この場合は、室内側基本開口部と屋外側基本開口部とを閉じた状態での遮音性能を吸音材によってより高いものにすることができ、通風性能も損なわれない。特に、吸音材が屋外側通風用開口部が設けられた側の延長空間部に設けられていることにより、基本開口部間の空間部と室内側基本開口部を通じた音の伝わりを抑えることができて、高い遮音性能を発揮することができる。しかも、吸音材は延長空間部に備えられているので、基本開口部の開口部としての機能が吸音材の存在によって妨げられることもない。
【０００９】
第１発明において、屋外側通風用開口部が設けられた側の延長空間部と室内側通風用開口部が設けられた側の延長空間部との両方に、通風を妨げない態様で吸音材が設けられている場合（第３発明）は、第２発明と同様の作用効果が奏されると共に、室内側基本開口部と屋外側基本開口部とを閉じた状態での遮音性能を両吸音材によってより一層高いものにすることができる。各吸音材は各延長空間部内に備えられているので、基本開口部の開口部としての機能がこれら吸音材の存在によって妨げられることもない。
【００１０】
第１，第２，第３発明において、屋外側通風用開口部が設けられた側の延長空間部と基本開口部間の空間部との間、
室内側通風用開口部が設けられた側の延長空間部と基本開口部間の空間部との間、
室内側通風用開口部、及び
屋外側通風用開口部
うちのいずれか一つ以上、又は、全部に、開閉材が備えられているとよい（第４発明）。
【００１１】
この場合は、屋外側及び屋内側の両基本開口部を閉じた状態で、前記４つのうちのいずれか一つ以上、又は、全部に備えられた開閉材を開閉することで、遮音性能を確保しながら、通風を行ったり停止したりすることができる。
【発明の効果】
【００１２】
本発明は、以上のとおりのものであるから、高い遮音性能を発揮しながら充分な通風効果を得ることができる。
【発明を実施するための最良の形態】
【００１３】
次に、本発明の実施最良形態を図面に基づいて説明する。
【００１４】
図１（イ）（ロ）に示す第１実施形態の通風遮音開口部構造において、１は室内側基本開口部、２は屋外側基本開口部で、これら基本開口部１，２は前後方向に所定の間隔をおいて向き合うように備えられ、これら基本開口部１，２間の空間部３の左右両側に延長空間部４，５が設けられて、基本開口部間の空間部（  ）と延長空間部４，５とで中間空間部６が形成されている。７，８は各基本開口部に設けられた開閉窓である。
【００１５】
そして、中間空間部６の左右一方の延長空間部４と屋外１０とを連通する屋外側通風用開口部１１が設けられると共に、もう一方の延長空間部５と室内９とを連通する室内側通風用開口部１２が設けられ、屋外側通風用開口部１１が設けられた側の延長空間部４と、室内側通風用開口部１２が設けられた側の延長空間部５の両方に、通風を妨げない態様で吸音材１４，１４が設けられ、室内側基本開口部１と屋外側基本開口部２とが開閉窓７，８で閉じられた状態において、屋外側通風用開口部１１、中間空間部６及び室内側通風用開口部１２を通風経路とし、中間空間部６を消音チャンバーとする通風遮音構造が形成されるようになされている。
【００１６】
なお、吸音材１４，１４としては、例えば、耐水性に優れた再生ＰＥＴ製吸音材などが好適に用いられるが、材質に特に制限はない。
【００１７】
また、本実施形態では、中間空間部６は、図１（ロ）に示すように、建物１５に屋外側に突出する部分１６を備えさせることで形成されており、屋外側に突出する部分１６の正面側に屋外側通風用開口部１１が設けられ、該屋外側通風用開口部１１に通風用のガラリ１８が設けられ、屋外側に突出する部分１６の側面側は、ブレースなどによる耐力要素１７が入れられて耐力壁としての構造を備えさせている。
【００１８】
そして、屋外側通風用開口部１１が設けられた側の延長空間部４と、基本開口部１，２間の空間部３との間には、第１開閉材１９が設けられると共に、室内側通風用開口部１２が設けられた側の延長空間部５と、基本開口部１，２間の空間部３との間には、第２開閉材２０が設けられ、室内側通風用開口部１２には第３開閉材２１が設けられている。
【００１９】
上記の通風遮音開口部構造では、図２（イ）に示すように、室内側基本開口部１と屋外側基本開口部２とを閉じ、第１〜第３の開閉材１９，２０，２１を開いた状態にすると、屋外側通風用開口部１１、中間空間部６及び室内側通風用開口部１２を通風経路として通風がなされると共に、中間空間部６が消音チャンバーとして機能し、また、吸音材１４，１４が吸音し、屋外１０から室内９への屋外音の侵入が遮断され、夏季、中間期等において、静かで快適な夜を過ごすことができ、防犯性能にも優れる。
【００２０】
特に、屋外側通風用開口部１１が設けられた側の延長空間部４に設けられた吸音材１４により、基本開口部１，２間の空間部３と室内側基本開口部１とを通じた屋外１０側からの音の伝わりを抑えることができて、高い遮音性能を発揮することができる。
【００２１】
また、図２（ロ）（ハ）に示すように、第１〜第３開閉材１９，２０，２１を閉じた状態で、室内側基本開口部１と屋外側基本開口部２とを開閉することにより、これら室内側基本開口部１と屋外側基本開口部２を通常の開口部として使用することができ、吸音材１４，１４は延長空間部４，５に備えられているので、基本開口部１，２の開口部としての機能が吸音材１４，１４の存在によって妨げられることもなく、基本開口部１，２の機能が損なわれることもない。また、図２（ハ）に示すように、第１〜第３開閉材１９，２０，２１、室内側基本開口部１、屋外側基本開口部２をすべて閉じた状態では、高い遮音性能が発揮される。
【００２２】
更に、本実施形態では、建物１５に屋外側に突出する部分１６を備えさせ、該屋外側に突出する部分１６の側面側が、耐力要素１７の入れられた耐力壁に構成されているので、建物内部のプランの自由度を高くすることができる。
【００２３】
図３（イ）に示す第２実施形態の通風遮音開口部構造は、屋外側通風用開口部１１が設けられた側の延長空間部４の屋外側通風用開口部１１が、屋外側に突出する部分１６の側面側に設けられた場合のものであり、その他は、第１実施形態と同様である。このように屋外側通風用開口部１１は延長空間部４の屋外側の開口部として機能するように備えられていればよく、その限りでどこにどのように備えられていてもよい。
【００２４】
図３（ロ）に示す第３実施形態の通風遮音開口部構造は、屋外側基本開口部２と室内側基本開口部１との間の空間部３の上下両側に延長空間部４，５が設けられ、上延長空間部４に屋外側通風用開口部１１が設けられると共に、下延長空間部５に室内側通風用開口部１２が設けられている。その他は、概ね第１実施形態と同様であり、同様の作用効果が奏される。
【００２５】
以上に、本発明の実施形態を示したが、本発明はこれに限られるものではなく、発明思想を逸脱しない範囲で各種の変更が可能である。例えば、上記の実施形態では、屋外側通風用開口部１１が設けられた側の延長空間部４と基本開口部１，２間の空間部３との間、室内側通風用開口部１２が設けられた側の延長空間部５と基本開口部１，２間の空間部３との間、及び、室内側通風用開口部１２に、第１〜第３の開閉材１９，２０，２１が備えられている場合を示したが、追加で、屋外側通風用開口部１１に第４の開閉材が備えられていてもよいし、要は、第１〜第４の一つ以上が備えられていればよい。また、通風を通年行うような場合には、これらのすべての開閉材は省略されてもよい。
【００２６】
また、上記の実施形態では、延長空間部４，５の両方に吸音材１４，１４が設けられた場合を示したが、両延長空間部４，５のうち、少なくとも、屋外側通風用開口部１１が設けられた側の延長空間部４にのみ吸音材１４が設けられていてもよいし、これら吸音材１４，１４を省略して消音チャンバー機能のみによる遮音が行われるようにしてもよい。
【００２７】
更に、上記の実施形態では、中間空間部６は、建物１５に屋外側に突出する部分１６を備えさせることで形成されているが、建物に室内側に突出する部分を備えさせることで形成されていてもよいし、建物に室内側と屋外側の両方に突出する部分を備えさせることで形成されていてもよい。
【図面の簡単な説明】
【００２８】
【図１】第１実施形態の通風遮音開口部構造を示すもので、図（イ）は断面平面図、図（ロ）は外観斜視図である。
【図２】図（イ）〜図（ハ）はそれぞれ、各種使用状態を示す断面平面図である。
【図３】図（イ）は第２実施形態の通風遮音開口部構造を示す断面平面図、図（ロ）は第３実施形態の通風遮音開口部構造を示す断面側面図である。
【符号の説明】
【００２９】
１…室内側基本開口部
２…屋外側基本開口部
３…空間部
４…延長空間部
４，５…延長空間部
６…中間空間部
９…室内
１０…屋外
１１…屋外側通風用開口部
１２…室内側通風用開口部
１４…吸音材
１９，２０，２１…開閉材
【図１】
2008144461.tif 000003
【図２】
2008144461.tif 000004
【図３】
2008144461.tif 000005